(57)【要約】サトウキビ糖蜜固形物と、好ましくは塩化物塩である除氷成分とを含有する除氷／防氷組成物を開示する。この組成物は、表面から氷もしくは雪を除去するか、または表面への氷または雪の堆積を抑制するために、表面に適用することができる。サトウキビ糖蜜固形物は、塩を移動車両から道路表面に適用している間に、塩上に噴霧することができる。あるいは、サトウキビ糖蜜固形物は、塩の塊の表面または表面付近の着氷を防止するために、塩の塊に適用することができる。【特許請求の範囲】
【請求項１】
水と、除氷成分と、サトウキビ糖蜜固形物と、を含有する組成物であって、
前記除氷成分が、当該除氷成分無しで調製された他は同一である組成物と比較して前記組成物の凝固点を少なくとも２℃低下させるような量で存在し、当該除氷成分無しで調製された他は同一である組成物と比較して前記組成物の腐食性を相対的に高めるものであり、
前記サトウキビ糖蜜固形物が、前記組成物の腐食性を抑制するような量で前記組成物中に存在し、乾燥固形物重量で少なくとも１０％のショ糖を含んでいる、組成物。
【請求項２】
前記除氷組成物が、塩化ナトリウム、塩化カルシウム、塩化マグネシウム及び塩化カリウムからなる群より選ばれる塩化物塩を含有する、請求項１記載の組成物。
【請求項３】
前記除氷成分が塩化ナトリウムを含有する、請求項２記載の組成物。
【請求項４】
前記除氷成分が、ギ酸ナトリウム、酢酸カルシウムマグネシウム、酢酸カリウム、エチレングリコール、ジエチレングリコール及びこれらの混合物からなる群より選ばれる、請求項１記載の組成物。
【請求項５】
前記除氷成分が、前記組成物に対して少なくとも３重量％の量で存在する、請求項１記載の組成物。
【請求項６】
前記サトウキビ糖蜜固形物が、前記組成物に対して少なくとも約２重量％の量で存在する、請求項１記載の組成物。
【請求項７】
氷が堆積している表面に対して、当該表面上の氷の量を減少させるような量の除氷組成物を適用することを備える、除氷のために選択された表面を除氷する方法であって、
前記除氷組成物が、水と、除氷成分と、サトウキビ糖蜜固形物と、を含有し、
前記除氷成分が、当該除氷成分無しで調製された他は同一である組成物と比較して前記組成物の凝固点を少なくとも２℃低下させるような量で存在し、当該除氷成分無しで調製された他は同一である組成物と比較して前記組成物の腐食性を相対的に高めるものであり、
前記サトウキビ糖蜜固形物が、前記組成物の腐食性を抑制するような量で前記組成物中に存在し、乾燥固形物重量で少なくとも１０％のショ糖を含んでいる、方法。
【請求項８】
前記除氷組成物が、塩化ナトリウム、塩化カルシウム、塩化マグネシウム及び塩化カリウムからなる群より選ばれる塩化物塩を含有する、請求項７記載の方法。
【請求項９】
前記除氷成分が塩化ナトリウムを含有する、請求項８記載の方法。
【請求項１０】
前記除氷成分が、ギ酸ナトリウム、酢酸カルシウムマグネシウム、酢酸カリウム、エチレングリコール、ジエチレングリコール及びこれらの混合物からなる群より選ばれる、請求項７記載の方法。
【請求項１１】
前記除氷成分が、前記組成物に対して少なくとも３重量％の量で存在する、請求項７記載の方法。
【請求項１２】
前記サトウキビ糖蜜固形物が、前記組成物に対して少なくとも約２重量％の量で存在する、請求項７記載の方法。
【請求項１３】
前記表面が道路表面を含む、請求項６記載の方法。
【請求項１４】
氷生成に対する抵抗力を高めるために選択された表面に対して、当該表面の氷生成に対する抵抗力が高められるような量の防氷組成物を適用することを備える、表面の氷生成に対する抵抗力を高める方法であって、
前記防氷組成物が、水と、除氷成分と、サトウキビ糖蜜固形物と、を含有し、
前記除氷成分が、当該除氷成分無しで調製された他は同一である組成物と比較して前記組成物の凝固点を少なくとも２℃低下させるような量で存在し、当該除氷成分無しで調製された他は同一である組成物と比較して前記組成物の腐食性を相対的に高めるものであり、
前記サトウキビ糖蜜固形物が、前記組成物の腐食性を抑制するような量で前記組成物中に存在し、乾燥固形物重量で少なくとも１０％のショ糖を含んでいる、方法。
【請求項１５】
前記除氷組成物が、塩化ナトリウム、塩化カルシウム、塩化マグネシウム及び塩化カリウムからなる群より選ばれる塩化物塩を含有する、請求項１４記載の方法。
【請求項１６】
前記除氷成分が、塩化ナトリウムを含有する、請求項１５記載の方法。
【請求項１７】
前記除氷成分が、ギ酸ナトリウム、酢酸カルシウムマグネシウム、酢酸カリウム、エチレングリコール、ジエチレングリコール及びこれらの混合物からなる群より選ばれる、請求項１４記載の方法。
【請求項１８】
前記除氷剤が、前記組成物に対して少なくとも３重量％の量で存在する、請求項１４記載の方法。
【請求項１９】
前記サトウキビ糖蜜固形物が、前記組成物に対して少なくとも約２重量％の量で存在する、請求項１４記載の方法。
【請求項２０】
前記表面が道路表面を含む、請求項１４記載の方法。
【請求項２１】
除氷のために選択された表面を除氷する方法であって、
乾燥固形物重量で少なくとも１０％のショ糖を含んでいるサトウキビ糖蜜固形物を含有する溶液を準備することと、
前記溶液を除氷成分と混合して除氷組成物を調製することと、
前記組成物を前記表面に対して適用することと、
を備え、
前記除氷成分が、当該除氷成分無しで調製された他は同一である組成物と比較して前記組成物の凝固点を少なくとも２℃低下させるような量で存在し、当該除氷成分無しで調製された他は同一である組成物と比較して前記組成物の腐食性を相対的に高めるものであり、
前記サトウキビ糖蜜固形物が、前記組成物の腐食性を抑制するような量で前記組成物中に存在し、乾燥固形物重量で少なくとも１０％のショ糖を含んでいる、方法。
【請求項２２】
前記除氷組成物が、塩化ナトリウム、塩化カルシウム、塩化マグネシウム及び塩化カリウムからなる群より選ばれる塩化物塩を含有する、請求項２１記載の方法。
【請求項２３】
前記除氷成分が塩化ナトリウムを含有する、請求項２２記載の方法。
【請求項２４】
前記除氷成分が、ギ酸ナトリウム、酢酸カルシウムマグネシウム、酢酸カリウム、エチレングリコール、ジエチレングリコール及びこれらの混合物からなる群より選ばれる、請求項２１記載の方法。
【請求項２５】
前記表面が道路表面を含む、請求項２１記載の方法。
【請求項２６】
前記除氷成分が、塩化ナトリウム、塩化カリウム、塩化マグネシウム及び塩化カルシウムからなる群より選ばれるものであり、
前記方法が、
前記道路表面上を走行する車両から前記除氷成分を放出することと、
前記除氷成分を放出している間に、前記溶液を前記除氷成分上に噴霧することと、
を備える、請求項２５記載の方法。
【請求項２７】
氷生成に対する抵抗力を高めるために選択された表面の氷生成に対する抵抗力を高める方法であって、
乾燥固形物重量で少なくとも１０％のショ糖を含むサトウキビ糖蜜固形物を含有する溶液を準備することと、
前記溶液を除氷成分と混合して除氷組成物を調製することと、
前記組成物を前記表面に対して適用することと、
を備え、
前記除氷成分が、当該除氷成分無しで調製された他は同一である組成物と比較して前記組成物の凝固点を少なくとも２℃低下させるような量で存在し、当該除氷成分無しで調製された他は同一である組成物と比較して前記組成物の腐食性を相対的に高めるものであり、
前記サトウキビ糖蜜固形物が、前記組成物の腐食性を抑制するような量で前記組成物中に存在し、乾燥固形物重量で少なくとも１０％のショ糖を含んでいる、方法。
【請求項２８】
前記除氷組成物が、塩化ナトリウム、塩化カルシウム、塩化マグネシウム及び塩化カリウムからなる群より選ばれる塩化物塩を含有する、請求項２７記載の方法。
【請求項２９】
前記除氷成分が塩化ナトリウムを含有する、請求項２８記載の方法。
【請求項３０】
前記除氷成分が、ギ酸ナトリウム、酢酸カルシウムマグネシウム、酢酸カリウム、エチレングリコール、ジエチレングリコール及びこれらの混合物からなる群より選ばれる、請求項２７記載の方法。
【請求項３１】
前記表面が道路表面を含む、請求項２７記載の方法。
【請求項３２】
前記除氷成分が、塩化ナトリウム、塩化カリウム、塩化マグネシウム及び塩化カルシウムからなる群より選ばれるものであり、
前記方法が、
前記道路表面上を走行する車両から前記除氷成分を放出することと、
前記除氷成分が放出されている間に、前記溶液を前記除氷成分上に噴霧することと、
を備える、請求項２７記載の方法。
【請求項３３】
乾燥重量で少なくとも１０％のショ糖を含むサトウキビ糖蜜固形物を、集合物に対して、当該集合物の表面又はその近傍における氷の生成が防止されるような量で適用すること、を備える、集合物の処理の方法。
【請求項３４】
前記集合物が、塩化ナトリウム塩の塊を含む、請求項３３記載の方法。
【請求項３５】
前記サトウキビ糖蜜固形物を、前記塩の塊に対して、前記塩の乾燥重量の少なくとも０.５％の乾燥固形物重量で適用する、請求項３４記載の方法。
【請求項３６】
少なくとも２％の量のサトウキビ糖蜜固形物と、
塩化ナトリウム、塩化カルシウム、塩化マグネシウム、塩化カリウム、ギ酸ナトリウム、酢酸カルシウムマグネシウム、酢酸カリウム、エチレングリコール、ジエチレングリコール及びこれらの混合物からなる群より選ばれる除氷成分と、
を含有する組成物。
【発明の詳細な説明】
【技術分野】
【０００１】
本発明は、表面若しくは物体への雪若しくは氷の堆積防止、および／または雪若しくは氷が堆積している表面若しくは物体の除氷のための組成物及び方法に、広く関連する。
【発明の背景】
【０００２】
多くの化合物が、道路や、砂、小石及び石炭の集合物である貯蔵原料などの表面からの雪および氷の除去、またはこれら表面における氷若しくは雪の堆積防止に有用であることが知られている。この化合物としては、カルシウム、マグネシウム又はナトリウムの塩化物のような塩化物塩が最も一般に使用される。これらの塩、中でも特に塩化ナトリウムは、除氷及び防氷に対して有効であり、且つ安価である。しかしながら、塩化物塩は、多くの点で制約があることが知られている。そのような制約のうち重要なものの一つは、塩化物塩の腐食性である。塩化物塩は、アスファルト、タール、コンクリートなどの道路表面を劣化させ、また、橋、地下排水溝などにおける金属構造部材も劣化させる傾向があることが知られている。
【０００３】
従来技術として、これらの問題に対応するための多くの試みがなされている。１９８７年６月３０日発行の米国特許第４，６７６，９１８号には、防氷および除氷における塩化物塩の代替物としての蒸留副産物の使用が開示されている。米国特許第５，７０９，８１３号、５，７０９，８１２号、第５，６３６，１０１号においては、防氷剤および除氷剤として、湿トウモロコシ製粉、ワインおよびチーズ製造プロセスにおける廃棄副産物の使用が提案されている。最近、本発明の発明者であるブルーマー（Ｂｌｏｏｍｅｒ）は、米国特許第６，０８０，３３０号および第６，４１６，６８４号において、防氷および除氷への適用における脱糖されたビートおよびサトウキビ糖蜜の使用について開示した。上記の除氷および防氷組成物のうちのいくつかは十分なものであることが分かっている。
【０００４】
本発明の一般的な目的は、一つには、道路表面に対する腐食性が塩化物塩よりも小さい除氷／防氷組成物を提供することである。本発明の別の一般的な目的は、防氷および除氷の方法を提供することである。
【発明】
【０００５】
サトウキビ糖蜜固形物は、いくつかの除氷成分、特に塩化物塩の腐食性の抑制に有用であることが知られている。本発明の一実施形態によれば、防氷および除氷に適した組成物が提供される。この組成物は、水、除氷成分およびサトウキビ糖蜜固形物を含有する。除氷成分は、除氷成分無しで調製された他は同一である組成物と比較して、組成物の凝固点を少なくとも２℃低下させるような量で組成物中に存在する。一般に、除氷成分は、当該除氷成分無しで調製された他は同一である組成物と比較して、腐食性を相対的に高くする。本発明の本実施形態においては、サトウキビ糖蜜固形物が、サトウキビ糖蜜固形物無しで調製された他は同一である組成物と比較して、組成物の腐食性が抑制されるような量で組成物中に存在する。除氷および防氷の方法も、本発明の範囲内にある。一般にこれらの方法は、表面、特に道路表面への上記組成物の適用を含んでいる。また、本発明は、塩の集合物等の集合物の処理の方法も含むものであり、この方法は、集合物表面またはその近傍での氷生成を防止するために、集合物表面またはその近傍に対してサトウキビ糖蜜固形物を適用する工程を備えている。
【好適な実施形態の説明】
【０００６】
本発明は、除氷および防氷におけるサトウキビ糖蜜固形物の使用を意図するものである。サトウキビ糖蜜とは、甘蔗糖シロップ、またはより一般には、一回以上のショ糖結晶化後、甘藷糖シロップからショ糖を除去した後に残る溶液のことをいう。一般に糖蜜は、サトウキビから任意の適当な手法によって得られる。一つの知られている方法の場合、収穫されたサトウキビを重いローラーで細断及び圧搾して、サトウキビジュースを得る（液状物の生成を促すために水を添加してもよい）。このジュースのｐＨを石灰で調節し、混合物を約１００℃で数時間加熱する。タンパク質および脂肪のような懸濁浮遊物を沈殿させ、他の不純物を除去して、透明液体を得る。そして、ショ糖を結晶化によって抽出して残る液体が、糖蜜として知られている。異なる等級のサトウキビ糖蜜が知られているが、「糖蜜」という用語は、時には、透明化されたサトウキビジュース（全てのジュース糖蜜）を示すために使用される。他の市販の糖蜜の等級としては、１級糖蜜、２級糖蜜、３級糖蜜、および最終糖蜜（廃糖蜜）があり、１級糖蜜は１回目のショ糖結晶化後の残留液体、２級および３級糖蜜はこれに続く結晶化後の残留液体、廃糖蜜は経済的にそれ以上結晶化できない液体である。これらの糖蜜製品はすべて約７９.５％の固形物を含み、５３％〜７４％の範囲の最終糖度を有し、約４％〜１９％の転化糖を含んでいる。
【０００７】
本発明において、糖蜜固形物は、糖蜜固形物の乾燥固形物重量で少なくとも１０％のショ糖、好ましくは少なくとも２０％のショ糖を含んでいてもよい。上記等級の糖蜜はすべて、サトウキビ糖蜜固形物源として適していると考えられる。一般に糖蜜は、いくらかの果糖ポリマー、アミノ酸タンパク質ポリマー、他の炭水化物およびポリマー、いくらかの塩化ナトリウムおよび塩化カリウム、酸化カルシウムおよび他の灰成分を含有している。ある市販用糖蜜組成物は８０〜８４％の固形物を含み、４８〜５０％が糖類である。糖類のうち、典型的には３５％はショ糖、６％はグルコース、８％は果糖、約２％は果糖などの他の低分子量糖類である（すべて現状あり姿のままで示す）。粗タンパク質含有量は４〜５％、全窒素含有化合物の含有量は３〜６％である。有機酸は１〜４％の量で存在し、これらの２〜８％は無機陽イオン（主にカリウム）、３％は無機陽イオンを有する。これらの量は、現状あり姿のままで挙げている。
【０００８】
本発明で使用されるサトウキビ糖蜜固形物は、任意の適当な方法で得ることができる。最も好ましくは、糖蜜固形物は、糖蜜固形物の水溶液を含む市販の糖蜜そのものとして供給される。糖蜜固形物が商業的に購入される場合、多くの場合、経済的理由から、さらなる処理なしに単純に糖蜜の形の固形物を準備することが好ましい。必要に応じて、糖蜜は濃縮、希釈、再濃縮、又はさらに別の方法で処理してもよい。糖蜜から水分を完全に除去して、１００％糖蜜固形物の残留物を残す（市販用の乾燥糖蜜固形物は約９６％の固形分を有する）ことが可能であると考えられる。別の実施形態として、糖蜜固形物を、糖蜜固形物の割合がより低い、溶液または混合物として準備してもよい。固形物含有量が５％、１０％、１５％、２０％、２５％、３０％、３５％、４０％、４５％、５０％、５５％、６０％、６５％、７０％、７５％、８０％、８５％、９０％又は９５％であるか、あるいは他の任意の所望の固形物含有量を有する糖蜜固形物の水溶液を準備してもよい。より一般には、糖蜜固形物は任意の適切な形で準備してもよいと考えられる。
【０００９】
ここで、組成物は、糖蜜固形物および除氷成分を含んでおり、これらの成分は水溶液中にあることが好ましい。除氷成分は、その化合物の水溶液の凝固点を低下させるような束一的性質またはその他の特性を有するような、任意の水溶性または混和性の化合物または組成物である。この化合物は、塩化カリウム、塩化ナトリウム、塩化マグネシウムまたは塩化カルシウムのうち１種以上の塩化物塩を含んでいてよい。さらに、除氷成分は、ギ酸ナトリウム、酢酸カルシウム若しくはマグネシウム、酢酸カリウム、エチレングリコール、ジエチレングリコール又はその他の有機化合物であってもよいと考えられる。除氷成分は、組成物の凝固点を少なくとも２℃低下させるのに有効な量で溶液中に存在していなくてはならない。除氷成分はより多く存在していることが好ましい。より高濃度であることは可能であるが、除氷成分の最大重量％は、通常、以下の通りである。
【００１０】
【表１】
2005533891.tif 000002
【００１１】
本発明において、サトウキビ糖蜜固形物は、組成物の腐食性を抑制するような量で組成物中に存在しているが、腐食性の抑制は、サトウキビ糖蜜固形物がない他は同様に調製された組成物との比較により測られる。作用のメカニズムは必ずしも明らかにされてはいないが、サトウキビ糖蜜が多くの既知の除氷成分、特に塩化物塩の腐食性を抑制することが知られている。腐食の抑制は任意の適当な方法によって測定して、確認することができる。腐食抑制の試験の一つとして、腐食速度試験方法ＮＡＣＥ基準ＴＭ−０１−６９（１９７６年改定）があり、これはパシフィックノースウエストスノーファイターによって修正され、「雪および氷制御化学製品、ブリティッシュコロンビア、アイダホ、モントリオール、オレゴン及びワシントンパシフィックノースウエストスノーファイターのＰＮＳコンソーシアムのための規格および試験プロトコル、１９９９年」付録Ａ中試験方法Ｂ（「ＰＮＳ試験」）として発行されている。この試験においては、金属ワッシャすなわち「クーポン」を除氷組成物の希薄溶液へ周期的に浸漬及び取り出しを行ったときの、クーポンの減少重量の測定によって、クーポンの腐食性を評価する。ＰＮＳ試験においては、蒸留水の溶液は０％の腐食性を有すると定義され、塩化ナトリウムの３％溶液は１００％の腐食性を有すると定義される。固形の除氷材料または組成物を評価するためには、除氷組成物３ｇを水９７ｇに溶解する。液体材料（溶液も）を評価するためには、材料３ｍｌを９７ｍｌの液体に溶解する。クーポンの減少重量はパーセンテージとして表わされ、試験基準によって定義された０〜１００％スケールに規格化される。この腐食試験に関する他の詳細およびパラメーターについては、上述のＰＮＳ試験基準に記載されている。本発明におけるサトウキビ糖蜜固形物による組成物の腐食抑制は、このＰＮＳ試験に従って測定可能であればどの程度の値であってもよい。サトウキビ糖蜜固形物は、ＰＮＳ試験のパーセンテージの値を少なくとも５０％、より好ましくは少なくとも７０％（これらは相対的なパーセンテージである）低下させるのに有効な量で存在することが好ましい。絶対スケールにおいては、除氷溶液は、ＰＮＳスケールで、好ましくは９０％以下、より好ましくは８０％以下、より好ましくは７０％以下、より好ましくは６０％以下、より好ましくは５０％以下、より好ましくは４０％以下、より好ましくは３０％以下、より好ましくは２５％以下の腐食抑制を有するように調製される。現在ＰＮＳ試験を商業的に行なうことができる商用施設としては、アナリティカルラボラトリーズ社（Ａｎａｌｙｔｉｃａｌ  ｌａｂｏｒａｔｏｒｉｅｓ，  Ｉｎｃ．）（アイダホ州ボイシ）及びレヴェルトンアナリティカルサービス社（Ｌｅｖｅｌｔｏｎ  Ａｎａｌｙｔｉｃａｌ  Ｓｅｒｖｉｃｅｓ）（カナダ  ブリティッシュコロンビア州リッチモンド）がある。糖蜜固形物は、この目的に有効であれば任意の量で存在してよい。糖蜜固形物は、組成物の少なくとも５０重量％で存在することが好ましく、実施形態によっては１０〜２５重量％の範囲で存在することが好ましい。糖蜜固形物中にもともと存在している塩化物塩は、溶液の凝固点の低下に寄与し得るが、この塩化物��は、除氷成分の一部ではなく、糖蜜固形物の一部であると考えられるべきである。
【００１２】
組成物は他の成分を含んでもよい。例えば、必要ならば、道路の牽引力を改善するために滑り止め材料を組成物に混合してもよい。そのような滑り止め材料の例としては、砂、小石、灰、石灰石骨材、フライアッシュ、川の岩などがある。
【００１３】
本発明はまた、サトウキビ糖蜜固形物および除氷成分を含有する組成物、好ましくは固形組成物を意図する。糖蜜固形物は、組成物の少なくとも２重量％の量で存在し、より好ましくは２〜４重量％である。他の成分（滑り止め剤など）を使用してもよいが、組成物は好ましくは除氷成分のほうを多く含有する。組成物は道路表面のような表面に適用することができる。例えば、道路表面を走行する移動車両から組成物を適用してもよい。
【００１４】
組成物は表面、特に道路表面に任意の適切な量で適用されるが、好ましくは１０〜４０ガロン／車線・マイルの範囲で適用される。好ましい実施形態においては、組成物は２０〜４０ガロン／車線・マイルの範囲で適用される。
【００１５】
本発明の好ましい一実施形態においては、除氷成分および糖蜜固形物を含有する組成物はその場で調製される。糖蜜固形物の溶液を、除氷成分を移動車両から道路表面に対して適用している間に、塩または他の除氷成分上に噴霧することが好ましい。本実施形態においては除氷成分は塩であることが好ましい。除氷成分は固体塩の製品として表面に適用することが好ましく、できるだけ湿気を含まないことが好ましい。また、糖蜜固形物は水溶液（糖蜜そのものなど）に含まれていることが好ましい。糖蜜固形物は、５〜１０ガロン／トン塩の量（好ましい実施形態において０．００３〜０．０１５ｋｇ糖蜜固形物／ｋｇ塩に相当する）で塩または他の除氷成分上に噴霧される。「噴霧」とは、好ましくは噴霧ノズルに液体を通して液体を適用することであるが、この用語はあらゆる他の適切な形態も含む。糖蜜固形物をその場で塩に適用する場合、道路表面以外でもよいと考えられる。例えば、塩化物塩で処理された歩道または他の表面に手作業で糖蜜固形物を適用してもよい。表面への除氷／防氷組成物の「適用」とは、あらかじめ調製された組成物（その場で調製された組成物を含む）を適用する（付ける）ことのみならず、塩および糖蜜固形物を別々に適用する（付ける）こと（組成物が表面上で生成する）も意図するものである。
【００１６】
本発明はまた、集合物、特に塩化ナトリウム塩の集合物にサトウキビ糖蜜固形物を適用することも意図するものである。氷は、塩の山の表面または表面付近で、特に塩の山が冬の環境に曝されたときに、生成することがよく知られている。本発明の本実施形態においては、サトウキビ糖蜜固形物の溶液、好ましくは糖蜜そのものが、塩の塊に適用される。糖蜜固形物は、乾燥固形物重量で任意の適切な量、好ましくは少なくとも０.５％の量で塩の塊に適用することができる。液体糖蜜を適用する割合は、糖蜜の粘性および所望の適用割合に応じて、２ガロン／トン塩〜６ガロン／トン塩または他の任意の適切な量とすることができる。あるいは、集合物は、砂、岩などのような、他の任意の固形物粒子の任意の集合物であってもよい。
【００１７】
除氷／防氷組成物は多くの表面に適用することができ、好ましい実施形態において、その表面は道路、歩道、橋、地下排水溝などの表面である。特に、除氷成分が塩化物塩でない場合には、除氷組成物は、トラクター、飛行機、飛行機翼などの機械類に適用することもできる。塩化物塩は多くの場合飛行機のような機械類への適用に適さず、そのような適用の場合にはグリコールのような除氷成分を選択することが好ましい。本発明は、上記表面の除氷および防氷に制限されるものではないが、逆に、上記組成物は除氷または防氷のために選択された任意の表面に適用することができる。「除氷」という用語を使用するときには、表面上に既に堆積した氷（「氷」とは雪も含む）を除去するために組成物が使用されることを意味すると認めるべきである。「防氷」とは、表面上への雪または氷の生成または堆積の抑制を意図するものである。例えば、厳しい天候を予期して雪または水が道路上で凍結することを防止するために、組成物を適用することができる。たとえ大量の雪または氷が道路上に載ったとしても、氷が張ったり雪が押し固められたりすることを糖蜜によって防止することができ、道路作業員が堆積物を除去するのに都合がよい。
【００１８】
以下、実施例によって本発明を例証するが、範囲を制限するものと解釈すべきではない。
【００１９】
（実施例１）
本実施例においては、以下の特性を有するサトウキビ糖蜜を使用した。ショ糖含有量は現状有姿のままで２３〜２４％であると考えられた。
【００２０】
【表２】
2005533891.tif 000003
【００２１】
これらの値は現状有姿のままで示されている。
以下の組成物を調製し、組成物の凝固点を測定した。
【００２２】
【表３】
2005533891.tif 000004
【００２３】
（実施例２）
実施例１に従って調製した糖蜜：ＮａＣｌ溶液について腐食特性を評価したところ、ＰＮＳ試験で要請されるように２３％の腐食性を有することが分かった。糖蜜固形物がない状態で調製した組成物は約８０％の腐食性を有するはずであり、２３％ＮａＣｌ溶液は約９０％の腐食性を有するはずである。
【００２４】
（実施例３）
以下の組成物を調製する。希釈糖蜜溶液は、実施例１の組成物で使用された糖蜜を固形物５０％まで希釈することにより調製される。
希釈糖蜜：２３％ＮａＣｌ２溶液  １：１
希釈糖蜜：３０％ＭｇＣｌ２溶液  １：１
希釈糖蜜：３２％ＣａＣｌ２溶液  １：１
希釈糖蜜：３２％ＣａＣｌ２溶液  １：９
【００２５】
このように、上述の一般的な目的を満足することが分かった。本発明の好ましい実施形態において、除氷／防氷組成物が提供される。
【００２６】
添付した特許請求の範囲は、上述の好ましい実施形態によって制限されるとみなされるべきでない。本出願またはあらゆる優先権主張出願の明細書中のいかなる用語も、添付した請求項のうちの明示されたいずれの範囲を制限すると見なされるべきではない。明確に断らない限り、本明細書で表された重量パーセントはすべて、乾燥固形物基準である。本明細書で引用された参考文献および先行出願はすべて、その全体を参照として開示に含める。
【国際調査報告】
2005533891.tif 000005
2005533891.tif 000006
2005533891.tif 000007